(57)【要約】【課題】自然素材に近い明度とテクスチャーと装飾性を有し、周囲の環境と調和する天端ブロックを提供する。【解決手段】天端ブロック１は、前面部２と、この前面部２の背後に設けられた控部３と、この控部３の背後に設けられた控尻部４とから構成され、前面部２に、天端側である上端面６と法面側である前端面７とが備えられ、前端面７が上端面６に対して傾斜している。上端面６は矩形状に形成され、前端面７はホームプレート状の五角形状に形成されている。【選択図】図１
2018017043.tif 000002
【特許請求の範囲】
【請求項１】
前面部と、該前面部背後に設けられた控部と、該控部背後に設けられた控尻部とから構成された天端ブロックであって、
前記前面部に、天端側である上端面と法面側である前端面とが形成され、前記前端面が前記上端面に対して傾斜し、
前記上端面および前記前端面が割裂状であることを特徴とする天端ブロック。
【請求項２】
法面勾配ｘが三分〜二割であり、
前記上端面と前記前端面とのなす角θが［式１］から求められることを特徴とする請求項１に記載した天端ブロック。
［式１］
θ＝１８０度−ｘ
【請求項３】
前記上端面が矩形状であり、かつ、前記前端面が五角形状であることを特徴とする請求項１または請求項２に記載した天端ブロック。
【請求項４】
前記上端面および前記前端面が矩形状であることを特徴とする請求項１または請求項２に記載した天端ブロック。
【請求項５】
前記上端面が水平であり、前記前端面が法面と同一平面上にあることを特徴とする請求項１から請求項４のいずれか１項に記載した天端ブロック。
【請求項６】
前記前面部がポーラスコンクリート層であり、前記上端面および前記前端面の表面が割裂形状であることを特長とする請求項１から請求項５のいずれか１項に記載した天端ブロック。
【請求項７】
請求項１〜６のいずれか１項に記載した天端ブロックを備えることを特徴とする擁壁。
【請求項８】
表面が割裂形状の積みブロックを備えることを特徴とする請求項７に記載の擁壁。
【請求項９】
前記積みブロックが、合端部と、該合端部正面に設けられた合端部前面部とを有し、
前記合端部前面部の側面側が、正面に向けて傾斜しており、かつ、この傾斜の勾配が、正面方向と直交する方向における両端において同じである第一傾斜面と、
前記合端部前面部の側面側が、正面に向けて傾斜しており、かつ、この傾斜の勾配が、正面方向と直交する方向における両端において異なる第二傾斜面と、
前記合端部前面部の側面側が傾斜していない非傾斜面と、から選択される一以上の面が、正面方向と直交する方向において連接されて前記合端部前面部の少なくとも一つの側面が形成され、
前記合端部前面部の少なくとも一つの側面に前記第二傾斜面が含まれることを特徴とする請求項８に記載の擁壁。
【請求項１０】
複数の前記積みブロックと目地と前記天端ブロックとを含む擁壁の明度が６以下であることを特徴とする請求項８または請求項９に記載の擁壁。
【発明の詳細な説明】
【技術分野】
【０００１】
この発明は、例えば、道路の法面、鉄道の法面、宅地の法面、および河川の護岸等の急勾配の傾斜地の地盤の安定のために構築される擁壁の形成に用いられる天端ブロックおよびこの天端ブロックを備える擁壁に関する。
【背景技術】
【０００２】
擁壁の種類には、現場打ちコンクリート擁壁、積みブロック擁壁、石積み擁壁等がある。例えば、図２２に示されているとおり、一般的に、積みブロック１５０（間知ブロックともいう）で擁壁１５０ａを構築する場合、上記した擁壁のいずれにおいても、積みブロック１５０を順次積み上げていき、最上段の天端部の下の積みブロック１５０が構築された後、その上部に天端コンクリート１０１を打設し、擁壁１５０ａの天端部を保護している。
【０００３】
しかしながら、現場打ちコンクリートで天端コンクリート１０１を形成する場合、所定段数積み上げられた擁壁１５０ａの正面に、現場打ちコンクリート打設のための作業用足場を設置し、足場と擁壁法面との間に踏板を乗せた歩み板を数ケ所に渡し架けると共に、最上段の擁壁ブロックの長手方向に同ブロックの幅と厚さに見合うコンクリート打設用の型枠を取り付け、この型枠の中に囲う間に天端用のコンクリートを打設して天端部を仕上げている。
【０００４】
すなわち、型枠等の据付けや取外し、型枠と型枠内への面模様を合わせるためのプラスチック製の面板の取付け、コンクリート打設等、面倒な作業が必要となり、それだけ工数、工期がかかるばかりか、それに伴う経費や材料費が嵩む結果となる。
【０００５】
このため、側面視直角三角形状の天端ブロック（特許文献１）、下辺が等高線に平行で、かつ、上辺が道路縦断勾配に平行で横長な三角形状の立方体に形成された天端ブロック（特許文献２）、土圧板と一体化した直方体形状の天端ブロック（特許文献３）、等のプレキャストコンクリートブロックが開発されている。
【０００６】
ところで、従来、擁壁の構築に用いられていた積みブロックの外観は極めて無味乾燥であり、そのブロック表面は平滑面であって、装飾を施したといっても、せいぜい、型枠により得た単純な凹凸が設けられているだけであったり、あるいは、顔料を用いて着色されていたりするに過ぎなかった。
【０００７】
ところが近年、景観が非常に重要視されるようになってきたため、擁壁にも環境と調和する外観が求められてきた。その結果、ブロック表面を割裂状に加工したコンクリートブロックや、ポーラスコンクリート層を設けた表層部を割裂状に加工したコンクリートブロック等、自然の風合い（色彩）に近いコンクリートブロックが開発されてきている（特許文献４、特許文献５）。
【０００８】
一方、「多自然川づくりポイントブックＩＩＩ〜中小河川に関する河道計画の技術基準・解説〜」（平成２３年１０月発行、日本河川協会）では、護岸ブロックの明度は６以下が好ましいと記載されているが、明度計測の具体的な方法が示されていないため、計測条件の違いによって結果にばらつきが生じる事が懸念されていた。このため、「護岸ブロックの平均明度計測方法マニュアル（案）」（全国土木コンクリートブロック協会、平成２７年１月改訂版）の中で、撮影条件（天候、撮影時間帯、照度、ブロック積上方法等）、撮影方法（撮影位置、光源の方向）、解析方法（解析アプリケーションソフト）等について規定された。そして、該マニュアルでは、ブロック単体だけでなく目地も含めた部分を撮影範囲と規定している。
【０００９】
しかしながら、擁壁は、積みブロック、目地および天端コンクリートから構成されるものであり、天端コンクリートのみが明度６以上であれば、擁壁全体として違和感があり、環境と調和するものではない。
【先行技術文献】
【特許文献】
【００１０】
【特許文献１】特開２００２−２２０８４５号公報
【特許文献２】特開２００６−１４４５１８号公報
【特許文献３】特開２００９−１８００４５号公報
【特許文献４】特開２０００−３１９９０８号公報
【特許文献５】特開２００１−３４７５１１号公報
【発明の概要】
【発明が解決しようとする課題】
【００１１】
本発明は、このような問題点を解決するためになされたもので、自然素材に近い明度とテクスチャーと装飾性とを有し、周囲の環境と調和する天端コンクリートブロック（以下、「天端ブロック」と記す。）、およびこの天端ブロックを備える擁壁を提供することを課題とする。
【課題を解決するための手段】
【００１２】
すなわち、本発明は、以下の［１］〜［１０］を提供するものである。
［１］前面部と、該前面部背後に設けられた控部と、該控部背後に設けられた控尻部とから構成された天端ブロックであって、前記前面部に、天端側である上端面と法面側である前端面とが形成され、前記前端面が前記上端面に対して傾斜し、前記上端面および前記前端面が割裂状であることを特徴とする天端ブロック。
［２］さらに、法面勾配ｘが三分〜二割であり、前記上端面と前記前端面とのなす角θが［式１］から求められることを特徴とする天端ブロック。
［式１］θ＝１８０度−ｘ
［３］さらに、前記上端面が矩形状であり、かつ、前記前端面が五角形状であることを特徴とする天端ブロック。
［４］さらに、前記上端面および前記前端面が矩形状であることを特徴とする天端ブロック。
［５］さらに、前記上端面が水平であり、前記前端面が法面と同一平面上にあることを特徴とする天端ブロック。
［６］さらに、前記前面部がポーラスコンクリート層であり、前記上端面および前記前端面の表面が割裂形状であることを特長とする天端ブロック。
［７］上記した天端ブロックを備えることを特徴とする擁壁。
［８］さらに、表面が割裂形状の積みブロックを備えることを特徴とする擁壁。
［９］さらに、前記積みブロックが、合端部と、該合端部正面に設けられた合端部前面部とを有し、前記合端部前面部の側面側が、正面に向けて傾斜しており、かつ、この傾斜の勾配が、正面方向と直交する方向における両端において同じである第一傾斜面と、前記合端部前面部の側面側が、正面に向けて傾斜しており、かつ、この傾斜の勾配が、正面方向と直交する方向における両端において異なる第二傾斜面と、前記合端部前面部の側面側が傾斜していない非傾斜面と、から選択される一以上の面が、正面方向と直交する方向において連接されて前記合端部前面部の少なくとも一つの側面が形成され、前記合端部前面部の少なくとも一つの側面に前記第二傾斜面が含まれることを特徴とする擁壁。
［１０］さらに、複数の前記積みブロックと目地と前記天端ブロックとを含む擁壁の明度が６以下であることを特徴とする擁壁。
【発明の効果】
【００１３】
本発明の天端ブロックは、前端面が上端面に対して傾斜し、かつ、上端面および前端面が割裂状であるため、自然石のような割肌を創りだすことが可能となる。さらに、表面の凹凸は、光の反射を抑えて光の強さを和らげ、明度の低減に効果を発揮する。
【００１４】
さらに、本発明の天端ブロックを備える擁壁は、天端ブロックの上端面および前端面が割裂状であるため、土や植物の種子等が活着しやすく、また保水性を有するので、植生を促進させる効果が高くなる。
【００１５】
本発明の天端ブロックは、前端面が上端面に対して傾斜し、かつ、上端面および前端面が割裂状であるため、本発明の天端ブロックを敷設して擁壁面を形成すると、天端部下部に積層された表面割裂状の積みブロックと天端ブロックとが、一体感を形成し、天端ブロックを含む擁壁全体の明度が低減され、擁壁周囲の環境と調和するものである。すなわち、本発明の天端ブロックは、表面割裂状の積みブロックと併用した場合に、その効果が最大限に発揮されるものである。
【００１６】
さらに、本発明の天端ブロックはポーラスコンクリート部を有するので、保水性を高めることができ、積みブロックの表面の温度低減や植生への水分補強等にも有効である。
【図面の簡単な説明】
【００１７】
【図１】本発明の実施形態に係る天端ブロックの一例を示す斜視図である。
【図２】本発明の実施形態に係る天端ブロックの一例を示す正面図である。
【図３】本発明の実施形態に係る天端ブロックの一例を示す背面図である。
【図４】本発明の実施形態に係る天端ブロックの一例を示す平面図である。
【図５】本発明の実施形態に係る天端ブロックの一例を示す底面図である。
【図６】本発明の実施形態に係る天端ブロックの一例を示す右側面図である。
【図７】本発明の実施形態に係る天端ブロックの一例を示す左側面図である。
【図８】本発明の実施形態に係る天端ブロックの表面同士が一体的に形成される天端ブロック連結体の側面図である。
【図９】本発明の実施形態に係る天端ブロックの上端面の割裂前の状態を示す右側面図である。
【図１０】図１に示す本発明の実施形態に係る天端ブロックを用いて構築した擁壁の概略断面図である。
【図１１】本発明の実施形態に係る天端ブロックの他の一例を示し、（ａ）が右側面図、（ｂ）が斜視図である。
【図１２】図１に示す本発明の実施形態に係る天端ブロックを用いて構築した擁壁の概略正面図である。
【図１３】本発明の実施形態に係る擁壁に用いられる積みブロックの一例を示す斜視図である。
【図１４】本発明の実施形態に係る擁壁に用いられる積みブロックの一例を示す正面図である。
【図１５】本発明の実施形態に係る擁壁に用いられる積みブロックの一例を示す背面図である。
【図１６】本発明の実施形態に係る擁壁に用いられる積みブロックの一例を示す平面図である。
【図１７】本発明の実施形態に係る擁壁に用いられる積みブロックの一例を示す底面図である。
【図１８】本発明の実施形態に係る擁壁に用いられる積みブロックの一例を示す右側面図である。
【図１９】本発明の実施形態に係る擁壁に用いられる積みブロックの一例を示す左側面図である。
【図２０】本発明の実施形態に係る擁壁に用いられる積みブロックの部分断面が示され、（ａ）は図１６におけるＢ−Ｂ断面からＡ−Ａ断面までを視した部分断面図、（ｂ）はＡ−Ａ断面から右方を視した右方断面図、（ｃ）はＢ−Ｂ断面から左方を視した左方断面図である。
【図２１】本発明の実施形態に係る擁壁に用いられる積みブロックの変形例の一部を示す部分平面図である。
【図２２】従来の現場打ちコンクリートを用いて構築した擁壁の概略断面図である。
【発明を実施するための形態】
【００１８】
以下、本発明の実施形態に係る天端ブロックを図面に基づいて説明する。図１〜図７は、天端ブロック１の外観が示されている。なお、以下の説明では、図１に示されているとおり、天端ブロック１のうち、前方である前面部２側を正面とし、後方である控尻部４側を背面とし、正面方向と直交する方向を側面とする。また、側面のうち、正面視した場合の右方向および左方向を右方および左方とし、正面視した場合の高さ方向を上方および下方とする。
【００１９】
図１〜図７に示されているとおり、天端ブロック１は、前面部２と、この前面部２の背後に設けられた控部３と、この控部３の背後に設けられると共に上下左右側方に張り出す凸部５を有する控尻部４とから構成されている。なお、前面部２、控部３および控尻部４は、一体成型されることが好ましいが、前面部２、控部３および控尻部４を個別に成型した後、各部を接着して一体化することで天端ブロック１を構成してもよい。
【００２０】
前面部２は、上方側である上端面６と、正面側である前端面７とが形成され、前端面７が上端面６に対して傾斜し、側面視して略「く」字状に形成されている（図６参照）。詳説すれば、上端面６は上方から視して矩形状であり（図４参照）、前端面７は、正面から視してホームプレート状の五角形状である（図２参照）。すなわち、前端面７は、上端面６の前方の縁辺を長辺に含む矩形の前端矩形面７ａと、この前端矩形面７ａの下端に連接された逆三角形の前端三角面７ｂとから五角形状に形成されている。上端面６と前端面７とのなす角は鈍角であるが、詳細については後述する。
【００２１】
控部３は、前面部２背後（地山側）において、中央から背面側に突出して設けられており、背面端が控尻部４と連結している。なお、控部３の形状は特に限定されるものではなく、平面視した場合の控部３の幅が、同幅、あるいは、控尻部４側が細くなっていても構わない。また、控部が互いに対面して一対で形成され、片方が前面部の背後における左寄りから背面側に向けて突出し、もう片方が前面部の背後における右寄りから背面側に向けて突出していてもよい。
【００２２】
控尻部４は、控部３の背後（地山側）に設けられている。そして、控尻部４の形状は、上下左右に凸部５を有している。なお、凸部５の形状は特に限定されるものではなく、矩形状、台形状、円弧状等、適宜選択できる。凸部５を有していれば、吊クランプ等での吊り・運搬が容易にできる。また、側面視した場合の控尻部４の高さは、控部３の高さよりも高いことが好ましい。引き抜き抵抗をさらに高めるためである。
【００２３】
図４〜図７に示されているとおり、上端面６および前端面７は、割裂形状を有している。ここで、割裂形状とは、例えば、上端面６および前端面７の表面がハツリ処理され、または、二個の天端ブロック１の前端面７同士が一体的に形成された後述の天端ブロック連結体９の中心部が破断装置によって破断処理される等により、上端面６および前端面７の表面が割肌状となったものである。したがって、上端面６および前端面７の縁辺は、図４〜図７に示されているとおり本来直線ではないが、図１〜図３において、適宜直線とみなして示されている。
【００２４】
ここで、割裂形状の形成について図面に基づいて説明する。図８は、天端ブロック１の前端面７同士が一体的に形成された天端ブロック連結体９が側面から示され、図９は、天端ブロック１の上端面６の割裂前の状態が側面から示されている。
【００２５】
割裂形状にするには、図８に示されているとおり、まず、前端面７同士が一体的に形成された天端ブロック連結体９（天端ブロック１の前端面が互いに向き合うよう一体的に形成されたもの）を、その略中央で二つに割裂する。このようにして、図９に示されている天端ブロック前駆体９ａが形成される。その後、天端ブロック前駆体９ａの上方側の面を斜めに割裂することで、天端ブロック１が形成される。このようにすれば、天端ブロック１は、前端面７および上端面６に割裂面が形成され、この割裂面に、コンクリートの粗骨材が、一般のコンクリートを用いた場合よりも多く、かつ、割れて露出する。このため、割れた骨材の大きさが不均一で、変則的な形状の凹凸を数多く有し、粗骨材の自然な風合い（色彩）が現れて、天端ブロック１に自然な風合い（色彩）を効率よく付与できる。
【００２６】
なお、天端ブロック連結体９において、その略中央付近をポーラスコンクリート層とすることがより好ましい。例えば、上端面６および前端面７のみをポーラスコンクリート層、あるいは天端ブロック１全体をポーラスコンクリート層としてもよい。なお、このことは、前面部２と控部３との境で、ポーラスコンクリート層と普通コンクリート層とを明確に区別するものではなく、ポーラスコンクリート層と普通コンクリート層とが交じり合った層があっても問題はない。
【００２７】
このようにすることによって、割裂面に割れた粗骨材からなる断面を最大限に露出させることができ、粗骨材のもつ自然な風合い（色彩）を更に高めることができる。これは、ポーラスコンクリート層の割裂面が粗いので光を反射しにくくなるだけでなく、陰影がつくことで目立ちにくくなり、より自然の景観に馴染みやすくなるためである。
【００２８】
また、天端ブロック１は、全層をポーラスコンクリート製とすることもできる。なお、この場合、施工面積１ｍ２当たりのブロック質量を３５０ｋｇ以上とするためには、重量骨材を使用する必要がある。
【００２９】
次に、擁壁の頂上に積み上げられた状態の天端ブロック１を図面に基づいて説明する。図１０は、天端ブロック１が頂上に積み上げられた擁壁１０の側面断面の概略が示されている。
【００３０】
図１０に示されているとおり、天端ブロック１は、積みブロック５０で構築された擁壁１０の頂上に積み上げられている。詳説すれば、上端面６が、上方の天端側において水平（標高の等しい点を結んだ主曲線と平行）に配置され、前端面７が、正面側である法面と同一平面上に揃えて配置される。換言すれば、水平に対する前端面７の傾斜の度合いが、擁壁１０の法面勾配と同一であることにより、前端面７が法面の延長線上に配置されている。この場合の法面勾配がｘであり、上端面６と前端面７とのなす角がθであるとき、θは、次の［式１］から求められる。
【００３１】
θ＝１８０度−ｘ      ［式１］
【００３２】
式１について詳説すれば、上端面６と平行であり、かつ、前端面７と交差する補助線ｈ１、および、上端面６の延長線上の補助線ｈ２をそれぞれ描いた場合、前端面７と補助線ｈ１とのなす角が、法面勾配を角度で表したものとなる。この角度をｘとすれば、ｘは、錯角により、補助線ｈ２と前端面７とのなす角θ１と等しいため、次の［式２］［式３］が成立する。
θ１＝ｘ                ［式２］
θ＝１８０度−θ１      ［式３］
【００３３】
［式２］を［式３］に代入すれば、［式１］となる。
【００３４】
ここで、法面勾配が三分から二割の範囲であれば、θは任意である。法面勾配の範囲、ｘおよびθの関係は表１に示されている。なお、表１では、法面勾配とｘとの関係において、換算過程における小数点以下が省略されている。
【００３５】
【表１】
2018017043.tif 000003
【００３６】
表１に示されているとおり、例えば、法面勾配が三分であればｘは約７３度であるため、θは約１０７度である。同様に、法面勾配が五分であればｘは約６３度であるため、θは約１１７度である。同様に、法面勾配が一割五分であればｘは約３４度であるため、θは約１４６度である。なお、天端ブロック１の前端面７の傾斜の度合いは、必ずしも法面勾配と一致させる必要はなく、設計上に必要な範囲で任意に設定できる。また、θは鈍角であるが、前端面７の上側部分のみが上端面６に対して直角であり、前端面７の上側部分以外の部分が上端面６に対して正面側に傾斜していてもよい。換言すれば、前端面７が、前端面６に対して直角に連接された角部と、この角部の下端から正面側に傾斜した前端傾斜面とから構成されていてもよい。
【００３７】
ここで、本実施形態の他の一例として、天端ブロック１よりもθを大きくした場合の天端ブロックを図面に基づいて説明する。図１１は、本実施形態の他の一例に係る天端ブロック１１の外観が示されている。
【００３８】
図１１に示されているとおり、天端ブロック１１は、前面部１２における上端面１６と前端面１７とのなす角θが天端ブロック１よりも大きい。すなわち、天端ブロック１と比較して、上端面１６が大きく、かつ、前端面１７が小さく形成されている。前端面１７は、天端ブロック１と同様に、上端面１６の前方の縁辺を長辺に含む矩形の前端矩形面１７ａと、この前端矩形面１７ａの下端に連接された逆三角形の前端三角面１７ｂとから五角形状に形成されている。ここで、天端ブロック１１の前端面１７は、天端ブロック１と異なり、前端矩形面１７ａが天端ブロック１の前端矩形面７ａよりも小さく形成されている。または、前端面１７は、前端矩形面１７ａが無く、前端三角面１７ｂのみから構成された逆三角形状に形成されている。なお、他の構成は、天端ブロック１と同一であるため、説明を省略する。
【００３９】
次に、天端ブロックの使用状態と共に、本発明の実施形態に係る擁壁を図面に基づいて説明する。図１２は、天端ブロック１が用いられた擁壁１０の正面の概略が示されている。
【００４０】
図１２に示されているとおり、擁壁１０は、積み上げられた複数の積みブロック５０の最上段の上に天端ブロック１が積み上げられて構成されている。ここで、天端ブロック１は、前面部２の前端面７が五角形状であるため、積みブロック５０が谷積みされている場合、積みブロック５０の最上段における上面の形状と適合する。仮に、積みブロックが布積みされている場合であっても、最上段の積みブロックと天端ブロック１との間にコンクリートを打設することで、布積みされた擁壁に天端ブロック１を用いることができる。しかし、この場合、積みブロックと天端ブロック１との間に大量のコンクリートが必要となる。そのため、布積みされた積みブロックの最上段における上面の形状に適合させるために、天端ブロックは、上方から視して上端面が矩形状であり、かつ、正面から視して前端面が矩形状であってもよい。なお、このような天端ブロックであっても、最上段の積みブロックと天端ブロックとの間にコンクリートを打設することで、谷積みされた擁壁に用いることができる。
【００４１】
天端ブロック１の寸法は、天端部の下部の積みブロック５０との一体性、施工性等を勘案して、任意に設定できる。例えば、幅３６０ｍｍ、高さ３００ｍｍ、控長３５０ｍｍの積みブロック５０を使用した場合、天端ブロック１の横幅は３５４ｍｍ、高さ３７２ｍｍ、控長３５０ｍｍであることが例示できる。
【００４２】
「ＪＩＳ  Ａ  ５３７１  の推奨仕様Ｄ−１  積みブロック」記載の面の形状が矩形状の積みブロックと併用する場合、天端ブロック１の寸法は、幅３５０〜５００ｍｍ、高さ１５０〜３５０ｍｍ、控長３５０〜５００ｍｍの範囲で、任意に設定することができる。
【００４３】
ここで、本実施形態に用いられる積みブロックを図面に基づいて説明する。図１３〜図２１は、積みブロック５０の外観が示されている。なお、以下の各実施形態における説明では、合端部１０２の上面が含まれた平面を水平面とし、側面視した場合の面取り最深部における合端部前面部１０３の表面と平行な面を直立面とする（図２０参照）。
【００４４】
図１３〜図１９に示されているとおり、積みブロック５０は、合端部１０２と、この合端部１０２の正面に設けられた合端部前面部１０３と、合端部１０２の背後に設けられた控部１０４と、この控部１０４の背後に設けられると共に左右側方に張り出す凸部１０６を有する控尻部１０５とから構成されている。合端部１０２の層厚は３５〜７０ｍｍが好ましく、また、合端部前面部１０３の層厚は１５〜５０ｍｍが好ましく、また、積みブロック５０の控長は３５０〜５００ｍｍが好ましい。
【００４５】
ここで、合端部１０２、合端部前面部１０３、控部１０４および控尻部１０５は、一体成型が好ましいが、合端部１０２、控部１０４および控尻部１０５を一体成型した後、合端部１０２の正面側に合端部前面部１０３を接着してもよい。なお、積みブロック５０の形状は、ＪＩＳ  Ａ  ５３７１の推奨仕様Ｄ−１、および各自治体の仕様書に準拠するものとする。
【００４６】
図１３および図１４に示されているとおり、正面視して、合端部１０２は左右方向に長手の矩形状である。この合端部１０２の正面は、多角形状の合端部前面部１０３が形成されている。合端部前面部１０３の表面は、割裂形状を有している。
【００４７】
合端部前面部１０３における上下左右の側面は、一部に面取りが施されたことにより、第一傾斜面１１０，１１０ａ，１１０ｂおよび第二傾斜面１２０，１２０ａ，１２０ｂ，１２０ｃが形成されている。面取り幅（目地深さ）は、１５〜５０ｍｍが好ましい。なお、参考までに、従来の面取り幅は１５〜２０ｍｍであり、同一ブロックにおいては、すべての面取り個所の面取り幅（目地幅深さ）は同じである。
【００４８】
合端部前面部１０３の側面のうち、面取りが施されていない箇所は、合端部前面部１０３の側面側が傾斜していない非傾斜面１４０が形成されている。すなわち、非傾斜面１４０は、合端部１０２の側面と同一平面に揃っている。
【００４９】
合端部前面部１０３の側面のうち、少なくとも一つの側面は、第一傾斜面１１０、第二傾斜面１２０または非傾斜面１４０の三種類の側面から選択される一以上の面が左右方向（正面方向と直交する方向）に連接されて形成されている。詳説すれば、合端部前面部１０３は、上方の側面が、一つの第一傾斜面１１０と二つの第二傾斜面１２０とから構成され、右の側面が、一つの第一傾斜面１１０ａと一つの第二傾斜面１２０ａとから構成され、左の側面が、一つの第一傾斜面１１０ｂと一つの第二傾斜面１２０ｂとから構成され、下方の側面が、一つの非傾斜面１４０と一つの第二傾斜面１２０ｃとから構成されている。
【００５０】
ここで、合端部前面部１０３の側面のうち、上方の側面について説明すれば、図１３、図１４および図１６に示されているとおり、上方の側面は、中央に第一傾斜面１１０が形成され、この第一傾斜面１１０の右端に右方第二傾斜面１２１が連接され、第一傾斜面１１０の左端に左方第二傾斜面１２６が連接されている。第一傾斜面１１０は、合端部前面部１０３の側面側が、正面に向けて傾斜しており、かつ、この傾斜の勾配が、左右方向（正面方向と直交する方向）における両端において同じである。詳説すれば、第一傾斜面１１０は、平坦な四角形であり、前方傾斜方向Ｙ１に向かうにつれて下方に傾斜している。すなわち、合端部１０２と合端部前面部１０３との境界である第一縁辺１１１と、合端部前面部１０３の表面の上縁である第一表面縁辺１１２とは、平面視および正面視して平行であり、また、第一傾斜面１１０の左右両端である第一右端稜線１１３および第一左端稜線１１４は、平面視および正面視して平行である。各稜線１１３，１１４は、各縁辺１１１，１１２に対して垂直である。
【００５１】
左右の第二傾斜面１２０は、合端部前面部１０３の側面側が、正面に向けて傾斜しており、かつ、この傾斜の勾配が、左右方向における両端において異なっている。詳説すれば、右方第二傾斜面１２１は、互いに交差する二つの方向に向けて傾斜している。すなわち、右方第二傾斜面１２１は、前方傾斜方向Ｙ２に向かうにつれて下方に傾斜すると共に、側方傾斜方向Ｘ１に向かうにつれて下方に傾斜している。合端部１０２と合端部前面部１０３との境界である右方第二縁辺１２２と、合端部前面部１０３の表面の上縁である右方第二表面縁辺１２３とは、平面視して平行であると共に、正面視して右方第二表面縁辺１２３が右方第二縁辺１２２に対して傾斜している。また、右方第二傾斜面１２１の左端であると共に第一傾斜面１１０との境界である右方第二境界稜線１２４に対し、右方第二傾斜面１２１の右端である右方第二端側稜線１２５は、正面視および平面視して傾斜している。
【００５２】
左方第二傾斜面１２６は、右方第二傾斜面１２１と同様に、互いに交差する二つの方向に向けて傾斜している。すなわち、左方第二傾斜面１２６は、前方傾斜方向Ｙ３に向かうにつれて下方に傾斜すると共に、側方傾斜方向Ｘ２に向かうにつれて下方に傾斜している。合端部１０２と合端部前面部１０３との境界である左方第二縁辺１２７と、合端部前面部１０３の表面の上縁である左方第二表面縁辺１２８とは、平面視して平行であると共に、正面視して左方第二表面縁辺１２８が左方第二縁辺１２７に対して傾斜している。また、左方第二傾斜面１２６の右端であると共に第一傾斜面１１０との境界である左方第二境界稜線１２９に対し、左方第二傾斜面１２６の左端である左方第二端側稜線１３０は、正面視および平面視して傾斜している。
【００５３】
次に、図１６および図２０に基づいて、水平面および直立面に対する各稜線１１３，１１４，１２４，１２５，１２９，１３０のそれぞれの角度について詳説する。図２０は、積みブロック５０における上下方向の断面の一部が拡大されたものであり、（ａ）は図１６におけるＢ−Ｂ断面からＡ−Ａ断面までの間をＢ−Ｂ断面の切断口から右方を視した状態が示されている。（ｂ）はＡ−Ａ断面の切断口から右方を視した状態が示され、右方第二端側稜線１２５が透けて破線で描かれている。同様に、（ｃ）はＢ−Ｂ断面の切断口から左方を視した状態が示され、左方第二端側稜線１３０が透けて破線で描かれている。
【００５４】
図２０（ａ）に示されているとおり、第一右端稜線１１３が水平面となす第一右端水平傾角ａ１、および、第一左端稜線１１４が水平面となす第一左端水平傾角ａ２は、互いに同一である。ここで、各水平傾角ａ１，ａ２は、第一傾斜面１１０における正面方向の勾配として表される。換言すれば、第一傾斜面１１０における正面方向の勾配は、水平面に対して第一傾斜面１１０がどれだけ下がっているかを示すものであり、面取り幅Ｙ０に対する、直立面における高さＺ１の割合である。すなわち、第一傾斜面１１０の勾配は、第一右端稜線１１３および第一左端稜線１１４において同一である。
【００５５】
図２０（ｂ）に示されているとおり、右方第二境界稜線１２４が水平面となす右方第二境界水平傾角ｂ１と、右方第二端側稜線１２５が水平面となす右方第二端側水平傾角ｂ２とは、互いに異なっており、右方第二端側水平傾角ｂ２の方が、右方第二境界水平傾角ｂ１よりも大きい。ここで、各水平傾角ｂ１，ｂ２は、右方第二傾斜面１２１における正面方向の勾配として表される。換言すれば、右方第二傾斜面１２１における正面方向の勾配は、水平面に対して右方第二傾斜面１２１がどれだけ下がっているかを示すものであり、面取り幅Ｙ０に対する、直立面における高さＺ１およびＺ２の割合である。すなわち、右方第二傾斜面１２１の勾配は、右方第二境界稜線１２４と右方第二端側稜線１２５とで異なっている。
【００５６】
図２０（ｃ）に示されているとおり、左方第二境界稜線１２９が水平面となす左方第二境界水平傾角ｂ３と、左方第二端側稜線１３０が水平面となす左方第二端側水平傾角ｂ４とは、互いに異なっており、左方第二端側水平傾角ｂ４の方が、左方第二境界水平傾角ｂ３よりも大きい。ここで、各水平傾角ｂ３，ｂ４は、左方第二傾斜面１２６における正面方向の勾配として表される。換言すれば、左方第二傾斜面１２６における正面方向の勾配は、水平面に対して左方第二傾斜面１２６がどれだけ下がっているかを示すものであり、面取り幅Ｙ０に対する、直立面における高さＺ１およびＺ３の割合である。すなわち、左方第二傾斜面１２６の勾配は、左方第二境界稜線１２９と左方第二端側稜線１３０とで異なっている。
【００５７】
なお、各水平傾角ａ１，ａ２は、０度＜ａ１，ａ２＜９０度の範囲であれば任意である。詳説すれば、上方および下方の側面については、０度＜ａ１，ａ２＜ｔａｎ−１（合端部１０２の高さ／面取り幅Ｙ０）であり、左方および右方の側面については、０度＜ａ１，ａ２＜ｔａｎ−１（合端部１０２の左右の幅／面取り幅Ｙ０）である。ここで、ＪＩＳ  Ａ  ５３７１の推奨仕様Ｄ−１における表記方法に則れば、合端部１０２の高さとは、“面の高さ”をいい、合端部１０２の左右の幅とは、“面の幅”をいう。また、各水平傾角ｂ１〜ｂ４も、ｂ１≠ｂ２、ｂ３≠ｂ４であれば同様である。
【００５８】
一方、図１６に示されているとおり、第一右端稜線１１３が直立面となす第一右端直立傾角θ１１と、第一左端稜線１１４が直立面となす第一左端直立傾角θ１２とは、互いに同じである。
【００５９】
右方第二境界稜線１２４が直立面となす右方第二境界直立傾角θ１３と、右方第二端側稜線１２５が直立面となす右方第二端側直立傾角θ１４とは、互いに異なっており、右方第二端側直立傾角θ１４の方が、右方第二境界直立傾角θ１３よりも小さい。
【００６０】
左方第二境界稜線１２９が直立面となす左方第二境界直立傾角θ１５と、左方第二端側稜線１３０が直立面となす左方第二端側直立傾角θ１６とは、互いに異なっており、左方第二端側直立傾角θ１６の方が、左方第二境界直立傾角θ１５よりも小さい。
【００６１】
なお、各直立傾角θ１１〜θ１６は任意である。したがって、図２１に示されている積みブロック５０の変形例のとおり、各直立傾角θ１１，θ１２が鋭角であると共に各直立傾角θ１３，θ１５が鈍角であってもよく（図２１（ａ）参照）、反対に、各直立傾角θ１３，θ１５が鋭角であると共に各直立傾角θ１１，θ１２が鈍角であってもよい。さらに、各直立傾角θ１１〜θ１６がそれぞれ異なっていてもよい（図２１（ｂ）参照）。また、各直立傾角θ１１〜θ１６は同一であってもよい。
【００６２】
図１３および図１４に示されているとおり、合端部前面部１０３の上方の側面において、隣り合う各傾斜面１１０，１２０同士の境界（第一右端稜線１１３、第一左端稜線１１４、右方第二境界稜線１２４、左方第二境界稜線１２９）は、緩やかに連接され、段差が設けられていない。すなわち、第一傾斜面１１０と第二傾斜面１２０とが隣り合う場合、第一傾斜面１１０の第一右端稜線１１３と、右方第二傾斜面１２１の右方第二境界稜線１２４とが一致する。換言すれば、第一右端稜線１１３（または右方第二境界稜線１２４）において、第一傾斜面１１０の第一右端水平傾角ａ１と、右方第二傾斜面１２１の右方第二境界水平傾角ｂ１とが一致する（図２０（ｂ）参照）。同様に、第一傾斜面１１０の第一左端稜線１１４と、左方第二傾斜面１２６の左方第二境界稜線１２９とが一致する。換言すれば、第一左端稜線１１４（または左方第二境界稜線１２９）において、第一傾斜面１１０の第一左端水平傾角ａ２と、左方第二傾斜面１２６の左方第二境界水平傾角ｂ３とが一致する（図２０（ｃ）参照）。この構成により、合端部前面部１０３の側面は、第一傾斜面１１０と各第二傾斜面１２１，１２６との境界に段差が形成されることなく、境界が緩やかとなり、優れたデザイン性を維持することができる。
【００６３】
したがって、合端部前面部１０３のうち、下方の側面のように、同一の側面において非傾斜面１４０と第二傾斜面１２０ｃとが隣り合う場合、非傾斜面１４０と第二傾斜面１２０ｃとの境界における水平傾角はゼロである。一方、合端部前面部１０３のうち、上方の側面のように、同一の側面において第二傾斜面１２０と第一傾斜面１１０とが隣り合う場合、第二傾斜面１２０と第一傾斜面１１０との境界における水平傾角は“０度＜水平傾角＜９０度”すなわち、“０度＜水平傾角＜ｔａｎ−１（合端部１０２の高さ／面取り幅Ｙ０）”となる。なお、以上のことから、非傾斜面１４０と第一傾斜面１１０とは、境界における水平傾角が相反し、境界に段差が形成されることになるため、隣り合うことはない。
【００６４】
以上のとおり、積みブロック５０が構成されている。積みブロック５０は、上記した構成に限られず、合端部前面部のうちの一つの側面における各傾斜面の組み合わせが任意であり、また、上下左右の各面の組み合わせも任意である。すなわち、デザイン性を考慮して、第一傾斜面、第二傾斜面および非傾斜面のいずれか一つ以上を選択してなる任意の組み合わせを、合端部前面部の任意の側面に設けることができる。
【００６５】
次に、本実施形態の構成材料とその配合等について説明する。なお、積みブロック５０、および積みブロック５０の変形例も同様の構成である。
【００６６】
天端ブロック１に用いるセメントとしては、各種ポルトランドセメント、各種混合セメント、エコセメント、アルミナセメントからなる群より選ばれる一種以上を使用することができる。また、このセメントに石灰石粉末、石英粉末、石膏、シリカフュームからなる群より選ばれる一種以上を添加して使用することができる。石灰石粉末、石英粉末、石膏については、ブレーン比表面積が３０００〜２００００ｃｍ２／ｇのものを内割りで５０質量％以下で混合することが好ましい。
【００６７】
また、シリカフュームについては、ＢＥＴ比表面積が５〜２５ｍ２／ｇであるのものを内割りで２５質量％以下で混合することが好ましい。シリカフュームのＢＥＴ比表面積は、好ましくは１５〜２５ｍ２／ｇ、さらに好ましくは１８〜２２ｍ２／ｇである。該比表面積が１５ｍ２／ｇ未満の場合、セメント質硬化体の圧縮強度が低下する。該比表面積が２５ｍ２／ｇを超える場合、セメント組成物の流動性が低下する。
【００６８】
天端ブロック１に用いる細骨材としては、川砂、山砂、陸砂、海砂、砕砂、硅砂、天然軽量細骨材（パーライト、ヒル石等）、人工軽量細骨材、高炉スラグ細骨材、電気炉酸化スラグ細骨材等からなる群より選ばれる一種以上を使用することができる。骨材の最大粒径は、１．２ｍｍ以下、好ましくは１．０ｍｍ以下である。該最大粒径が１．２ｍｍ以下であれば、セメント質硬化体の圧縮強度が高くなる。
【００６９】
粗骨材としては、川砂利、海砂利、山砂利、砕石、天然軽量骨材、人工軽量骨材、石灰石粗骨材、高炉スラグ粗骨材、電気炉酸化スラグ粗骨材、再生骨材等からなる群より選ばれる一種以上を使用することができる。
【００７０】
重量骨材としては、例えば、磁鉄鉱、赤鉄鉱、橄欖岩、柘榴石、重晶石、針鉄鉱、褐鉄鉱、バリウム方解石、砂鉄、銅スラグ、フェロニッケルスラグ、フェロクロムスラグ、クロマイト、電気炉酸化スラグ骨材、鋼スラブ表面の溶削処理工程で発生するホットスカーフからなる重量骨材、製鋼過程で発生するダストを含む廃棄物を溶融・冷却して製造された人工石材を含む重量骨材、製鋼の圧延工程で発生するミルスケールを含む重量骨材等が好ましい例として挙げられ、これらの一種又は二種以上を使用できる。
【００７１】
天端ブロック１に用いる水は、特に限定されるものではなく、天端ブロック１の強度等の物性に悪影響を与えないものであれば使用することができる。
【００７２】
天端ブロック１に用いる減水剤は、高性能ＡＥ減水剤、高性能減水剤、ＡＥ減水剤等からなる群より選ばれる一種以上の減水剤が挙げられる。この減水剤の種類（化合物）は、ポリカルボン酸、ナフタレンスルホン酸ホルムアルデヒド縮合物、メラミンスルホン酸ホルムアルデヒド縮合物、リグニンスルホン酸、これらの塩からなる群より選ばれる一種以上が挙げられる。中でも、セメント組成物の流動性を向上させ、セメント質硬化体の圧縮強度を高くする観点から、ポリカルボン酸系の高性能減水剤が好ましい。
【００７３】
本発明においては、上記材料以外に、本発明の目的を阻害しない範囲で、空気量調整剤、収縮低減剤、膨張材、顔料等を使用してもよい。
【００７４】
ポーラスコンクリート層の配合としては、セメント：３２０〜４２０ｋｇ／ｍ３、細骨材：９０〜２６０ｋｇ／ｍ３、粗骨材：１４００〜１８００ｋｇ／ｍ３、水：６５〜８５ｋｇ／ｍ３、混和剤（製品の質量）：３．０〜９．０ｋｇ／ｍ３が好ましい。
【００７５】
普通コンクリート層の配合としては、セメント：２６０〜３２０ｋｇ／ｍ３、細骨材：１０００〜１３００ｋｇ／ｍ３、粗骨材：８００〜１０００ｋｇ／ｍ３、水：９０〜１２０ｋｇ／ｍ３、混和剤（製品の質量）：０．８〜２．０ｋｇ／ｍ３が好ましい。
【００７６】
天端ブロック１においては、即時脱型した天端ブロック連結体を、積算温度が２１６０℃・ｈｒ以上となるように保温養生を行うことが好ましい。
【００７７】
天端ブロック１の最大の特徴は、少なくとも前面部２の上端面６および前端面７の二つの面が割裂状に形成されていることである。
【００７８】
以下に、上端面６および前端面７を割裂状にする方法について概説するが、本発明は以下の方法に限定さるものではない。
【００７９】
天端ブロック連結体９用型枠の中央部に（破断予定部分を含む）にポーラスコンクリートを、その他の部分に普通コンクリートを、それぞれ充填して、即時脱型して天端ブロック連結体９を製造する。次に、この天端ブロック連結体９を３０℃で３日間養生した後、脱枠して硬化した天端ブロック連結体９を得る。
【００８０】
なお、天端ブロック連結体９を作製する際、破断予定線に沿って凹溝を形成しておくことが好ましい。破断処理を行った場合、この凹溝に沿って破断面が形成され、略平坦な破断面を形成することが可能となる。また、破断処理を行う際、破断装置のスプリッタが破断予定線から弾かれることも無くなる。
【００８１】
［１回の破断処理による方法］
上記硬化した天端ブロック連結体９の側面中央の破断予定線に沿って、Ｙ字状のスプリッタを装備した破断装置により破断すれば、ポーラスコンクリート層の割裂状の二つの表面を有する二つの天端ブロック１を同時に得ることができる。
【００８２】
［２回の破断処理による方法］
上記硬化した天端ブロック連結体９の側面中央の破断予定線に沿って、直線状のスプリッタを装備した破断装置により破断し、前面部２の前端面７がポーラスコンクリート層の割裂状の表面を有する二つの天端ブロック前駆体９ａを同時に得ることができる。次に、この前端面７が割裂状になった天端ブロック前駆体９ａの側面側から、側面視三角形状の部分の斜辺を破断予定線として、直線状のスプリッタを装備した破断装置により破断すれば、前面部２の上端面６がポーラスコンクリート層の割裂状の表面を有する天端ブロック１を得ることができる。
【００８３】
［実施例１］
以下の方法で、前面部２の上端面６および前端面７がポーラスコンクリート層で、他の部分が普通コンクリート層である、図１に示す天端ブロック１を製作した。
【００８４】
［ポーラスコンクリート層の配合］
ポーラスコンクリート層の配合は、普通ポルトランドセメント：３６０ｋｇ／ｍ３、水：７２ｋｇ／ｍ３、粗骨材（最大寸法１３ｍｍ）：１６４５ｋｇ／ｍ３、細骨材（砕砂）：２２５ｋｇ／ｍ３、混和剤：７．５ｋｇ／ｍ３であった。その結果、成形時空隙率は１５．０％、成形時空気量は１．０％であった。
【００８５】
［普通コンクリート層の配合］
普通コンクリート層の配合は、普通ポルトランドセメント：２８０ｋｇ／ｍ３、水：１０５ｋｇ／ｍ３、粗骨材（最大寸法１０ｍｍ）：８５８ｋｇ／ｍ３、細骨材（山砂）：１，１６８ｋｇ／ｍ３、混和剤：１．３ｋｇ／ｍ３であった。その結果、成形時空隙率は４．０％、成形時空気量は１．０％であった。
【００８６】
［ポーラスコンクリート層の割裂状の表面を有するブロックの製造］
天端ブロック連結体９製造用型枠に、該型枠中央部に上記ポーラスコンクリート層の配合で示したポーラスコンクリートを、その他の部分に上記普通コンクリート層の配合で示した普通コンクリートをそれぞれ充填して、即時脱型して天端ブロック連結体９を製造した。次に、この天端ブロック連結体９を３０℃で３日間養生した。その後、この天端ブロック連結体９をその中心部で直線状のスプリッタを装備する破断装置により破断し、ポーラスコンクリート層の割裂状の前端面７を有する二つの天端ブロック前駆体９ａを得た。
【００８７】
次に、正面が割裂状になった天端ブロック前駆体９ａの側面側から、側面視三角形状の部分の斜辺を破断予定線として、直線状のスプリッタを装備した破断装置により破断して、前面部２の上端面６がポーラスコンクリート層の割裂状の表面を有する天端ブロック１を得た。
【００８８】
［擁壁の構築］
天端ブロック１を用いた擁壁１０の構築方法は、特に限定されるものではなく、通常のコンクリート製擁壁を構築する方法に従えばよい。すなわち、基礎コンクリート打設後、根石ブロックを敷設し、次に多数の積みブロック５０の側面を突き合わせて並列し、積みブロック５０の地山側に胴込め材料を充填しながら、順次段数を積み上げて施工して行き、最後に天端ブロック１を敷設すればよい。積み方としては、布積み、谷積み等いずれでもよい。
【００８９】
なお、天端ブロック１の施設後、天端部に現場打ちコンクリートを打設する場合でも、土羽打ちで処理する場合は土羽打ちで処理する部分の現場打ちコンクリートの層厚を薄くすることができ、経済的である。また、この場合、打設後の現場打ちコンクリートが土砂で覆われているため、周囲の環境と一層調和することが可能となる。
【００９０】
［平均明度の測定］
上記の方法で構築した擁壁１０について、前記「護岸ブロックの平均明度計測方法マニュアル（案）」に従って、平均明度を測定した。なお、撮影範囲は、積みブロック５０、目地、天端ブロック１を含む範囲とした。その結果、平均明度は、６．０であった。
【００９１】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００９２】
１，１１          天端ブロック
２，１２          前面部
３                控部
４                控尻部
５                凸部
６，１６          上端面
７，１７          前端面
７ａ，１７ａ      前端矩形面
７ｂ，１７ｂ      前端三角面
９                天端ブロック連結体
９ａ              天端ブロック前駆体
１０，１５０ａ    擁壁
５０，１５０      積みブロック
１０１            天端コンクリート
１０２            合端部
１０３            合端部前面部
１０４            控部
１０５            控尻部
１０６            凸部
１０７            縁辺
１１０，１１０ａ〜ｂ  第一傾斜面
１１１            第一縁辺
１１２            第一表面縁辺
１１３            第一右端稜線
１１４            第一左端稜線
１２０、１２０ａ〜ｃ  第二傾斜面
１２１            右方第二傾斜面
１２２            右方第二縁辺
１２３            右方第二表面縁辺
１２４            右方第二境界稜線
１２５            右方第二端側稜線
１２６            左方第二傾斜面
１２７            左方第二縁辺
１２８            左方第二表面縁辺
１２９            左方第二境界稜線
１３０            左方第二端側稜線
１４０            非傾斜面
ａ１              第一右端水平傾角
ａ２               第一左端水平傾角
ｂ１               右方第二境界水平傾角
ｂ２               右方第二端側水平傾角
ｂ３               左方第二境界水平傾角
ｂ４               左方第二端側水平傾角
θ                上端面と前端面とのなす角
θ１１              第一右端直立傾角
θ１２              第一左端直立傾角
θ１３              右方第二境界直立傾角
θ１４              右方第二端側直立傾角
θ１５              左方第二境界直立傾角
θ１６              左方第二端側直立傾角
ｈ１，ｈ２          補助線
Ｙ０               面取り幅
Ｚ１、Ｚ２、Ｚ３     高さ
Ｘ１、Ｘ２          側方傾斜方向
ｘ                法面勾配
Ｙ１、Ｙ２、Ｙ３     前方傾斜方向
【図１】
2018017043.tif 000004
【図２】
2018017043.tif 000005
【図３】
2018017043.tif 000006
【図４】
2018017043.tif 000007
【図５】
2018017043.tif 000008
【図６】
2018017043.tif 000009
【図７】
2018017043.tif 000010
【図８】
2018017043.tif 000011
【図９】
2018017043.tif 000012
【図１０】
2018017043.tif 000013
【図１１】
2018017043.tif 000014
【図１２】
2018017043.tif 000015
【図１３】
2018017043.tif 000016
【図１４】
2018017043.tif 000017
【図１５】
2018017043.tif 000018
【図１６】
2018017043.tif 000019
【図１７】
2018017043.tif 000020
【図１８】
2018017043.tif 000021
【図１９】
2018017043.tif 000022
【図２０】
2018017043.tif 000023
【図２１】
2018017043.tif 000024
【図２２】
2018017043.tif 000025